(57)【要約】【課題】流し台などの天板端部側の水返し性／止水性を容易に確保でき、さらに天板端部側の意匠性を大きな制限なく容易に向上させることを可能にした天板構造を提供する。【解決手段】天板３と、天板の裏面側に重なるように配設された天板側裏面補強材５と、天板３の端部側に一体に取り付けられる端部ガード部材７とを備え、端部ガード部材７を、天板３の端面を被覆するように上下方向Ｔ１に配設される壁部７ａと、壁部７ａの上端に繋がって天板３の上面よりも上方に配設される水返し部７ｂと、壁部７ａの下端に繋がって設けられ、天板側裏面補強材５に固着される固定部７ｄとを備えて形成する。【選択図】図２
2018042808.tif 000002
【特許請求の範囲】
【請求項１】
天板と、前記天板の裏面側に重なるように配設された天板側裏面補強材と、前記天板の端部側に一体に取り付けられる端部ガード部材とを備え、
前記端部ガード部材が、前記天板の端面を被覆するように上下方向に配設される壁部と、前記壁部の上端に繋がって前記天板の上面よりも上方に配設される水返し部と、前記壁部の下端に繋がって設けられ、前記天板側裏面補強材に固着される固定部とを備えて形成されていることを特徴とする天板構造。
【請求項２】
天板と、前記天板の裏面側に重なるように配設された天板側裏面補強材と、前記天板の端部側に一体に取り付けられる端部ガード部材とを備え、
前記端部ガード部材が、前記天板の端面を被覆するように上下方向に配設される壁部と、前記壁部の上端に繋がり、前記天板の上面と上下方向に重なるように横方向に突設された水返し部となる上側突部と、前記壁部の下端に繋がり、前記横方向に突設された下側突部とを備えて形成され、前記上側突部と前記下側突部の間に形成される嵌合溝部に前記天板の端部、又は前記天板及び前記天板側裏面補強材の端部を嵌合させて前記天板の端部側に一体に取り付けられていることを特徴とする天板構造。
【請求項３】
請求項１記載の天板構造において、
前記端部ガード部材の前記水返し部が前記壁部の上端から前記天板の上面と上下方向に重なるように横方向に突設されている天板構造。
【請求項４】
請求項１から請求項３のいずれか一項に記載の天板構造において、
前記端部ガード部材の前記水返し部と前記天板の間に介装される止水材を備えている天板構造。
【請求項５】
請求項４記載の天板構造において、
前記止水材が、前記天板の端部側に一体に取り付けた状態で、前記天板の端面を覆うように上下方向に配設される止水壁部と、前記止水壁部の上端から前記天板の上面に重なって密着するように突設される上側止水部と、前記止水壁部の下端から前記天板の裏面、又は前記天板側裏面補強材の裏面に重なって密着するように突設される下側止水部とを備えて断面略コ字状に形成され、
該止水材が、前記上側止水部と前記下側止水部の間の止水材嵌合溝部に前記天板の端部、又は前記天板及び前記天板側裏面補強材の端部を嵌合させて前記天板の端部側に一体に取り付けられている天板構造。
【発明の詳細な説明】
【技術分野】
【０００１】
本発明は、例えば流し台などの天板部の構造に関する。
【背景技術】
【０００２】
例えば、流し台、洗面化粧台、調理用作業台などには、平板状の天板と、天板の裏面に配設される平板状の天板側裏面補強材と、天板の端部側の裏面に上端部を当接させて上下方向に垂設されるとともに天板の端部に沿って延設される前框などの框材と、天板側裏面補強材の端部側の裏面及び框材の裏面に当接させ配設されるとともに框材に沿って延設され、框材を補強する方形棒状の框側裏面補強材とを備えて構成したものがある。
【０００３】
また、一般に、天板が人工大理石、石材、セラミックなどで形成され、天板側裏面補強材や框側裏面補強材が木材などで形成されている。
【０００４】
一方、天板の後端部側に天板から上方に突出するように補強板（添え板）を取り付け、補強板の前面側にバックガード（端部ガード部材）を取り付け、流し台などの天板後端部側の水返し性／止水性を確保（天板上から水が流れ落ちることを防止）したり、流し台などの後部側を保護するように構成したものもある（例えば、特許文献１参照）。
【先行技術文献】
【特許文献】
【０００５】
【特許文献１】特開２０１６−１０６６７２号公報
【発明の概要】
【発明が解決しようとする課題】
【０００６】
ここで、上記従来のバックガードは、例えば天板と同材で形成され、アルミ板などの補強材及び天板に接着剤などで取り付けて設置される。また、このとき、バックガードと天板の接続部にコーキングを施すなどし、この部分の止水性を確保する必要がある。このため、上記従来のバックガードにおいては、その取付作業に手間や時間がかかる。また、天板やバックガードがセラミックや石材、ガラスなどの脆性的に破壊しやすい部材（脆性破壊部材）で形成されていると、その取付作業にさらに多大な手間や時間がかかる。
【０００７】
さらに、特に天板やバックガードがセラミックや石材、ガラスなどで形成する場合には、バックガードの表面の性状が脆性破壊部材の原板の表面の性状に依存することになり、バックガードの上端部が脆性破壊部材のカット加工の技術・作業性に依存することになる。また、天板とバックガードの下端部の接続部分はコーキング等に依存することになる。このように原板の性状、加工技術、コーキングによってそれぞれの部位の意匠性が個別に決まることにより、バックガードを設置する部位全体としての意匠性が極端に限定される。
【０００８】
また、天板とバックガードの板材同士を接続することになるため、特に接続部の強度を確保することが難しい。このため、アルミニウム製などの補強材が別途必要になり、部材点数が多くなってしまう。さらに、補強材を用いた場合であっても、天板とバックガードの板材同士を接続する構造であるため、バックガードが前後方向に動きやすく、この前後方向の動きによってバックガードに破損が生じるおそれもある。
【０００９】
本発明は、上記事情に鑑み、流し台などの天板端部側の水返し性／止水性を容易に確保でき、さらに天板端部側の意匠性を大きな制限なく容易に向上させることを可能にした天板構造を提供することを目的とする。
【課題を解決するための手段】
【００１０】
上記の目的を達するために、この発明は以下の手段を提供している。
【００１１】
本発明の天板構造は、天板と、前記天板の裏面側に重なるように配設された天板側裏面補強材と、前記天板の端部側に一体に取り付けられる端部ガード部材とを備え、前記端部ガード部材が、前記天板の端面を被覆するように上下方向に配設される壁部と、前記壁部の上端に繋がって前記天板の上面よりも上方に配設される水返し部と、前記壁部の下端に繋がって設けられ、前記天板側裏面補強材に固着される固定部とを備えて形成されていることを特徴とする。
【００１２】
本発明の天板構造は、天板と、前記天板の裏面側に重なるように配設された天板側裏面補強材と、前記天板の端部側に一体に取り付けられる端部ガード部材とを備え、前記端部ガード部材が、前記天板の端面を被覆するように上下方向に配設される壁部と、前記壁部の上端に繋がり、前記天板の上面と上下方向に重なるように横方向に突設された水返し部となる上側突部と、前記壁部の下端に繋がり、前記横方向に突設された下側突部とを備えて形成され、前記上側突部と前記下側突部の間に形成される嵌合溝部に前記天板の端部、又は前記天板及び前記天板側裏面補強材の端部を嵌合させて前記天板の端部側に一体に取り付けられていることを特徴とする。
【００１３】
また、本発明の天板構造においては、前記端部ガード部材の前記水返し部が前記壁部の上端から前記天板の上面と上下方向に重なるように横方向に突設されていてもよい。
【００１４】
さらに、本発明の天板構造においては、前記端部ガード部材の前記水返し部と前記天板の間に介装される止水材を備えていることが望ましい。
【００１５】
さらに、本発明の天板構造においては、前記止水材が、前記天板の端部側に一体に取り付けた状態で、前記天板の端面を覆うように上下方向に配設される止水壁部と、前記止水壁部の上端から前記天板の上面に重なって密着するように突設される上側止水部と、前記止水壁部の下端から前記天板の裏面、又は前記天板側裏面補強材の裏面に重なって密着するように突設される下側止水部とを備えて断面略コ字状に形成され、該止水材が、前記上側止水部と前記下側止水部の間の止水材嵌合溝部に前記天板の端部、又は前記天板及び前記天板側裏面補強材の端部を嵌合させて前記天板の端部側に一体に取り付けられていてもよい。
【発明の効果】
【００１６】
本発明の天板構造においては、天板の端部に端部ガード部材を容易に取り付けることができ、この端部ガード部材によって天板端部の水返し性（止水性）を確保することができる。
【００１７】
また、端部ガード部材を天板端部に嵌合させて取り付けるだけで水返し性を確保することができるため、天板３と異なる材質の端部ガード部材７を用いることができ、端部ガード部材７の造形、意匠性によって天板端部側の見栄えを決めることができる。すなわち、設計自由度の高い端部ガード部材７を用いて天板端部側の意匠性を決めることができ、大幅に天板端部側の意匠性の自由度を高めることが可能になる。
【００１８】
よって、本発明の天板構造によれば、流し台などの天板端部側の水返し性（止水性）を容易に確保でき、さらに天板端部側の意匠性を大きな制限なく容易に向上させることが可能になる。
【図面の簡単な説明】
【００１９】
【図１】本発明の第１実施形態に係るシステムキッチンなどの流し台を示す縦断面図である。
【図２】本発明の第１実施形態に係る天板構造、端部ガード部材を示す断面図である。
【図３】本発明の第１実施形態に係る天板構造、端部ガード部材の変更例を示す断面図である。
【図４】本発明の第１実施形態に係る天板構造、端部ガード部材の変更例を示す断面図である。
【図５】本発明の第１実施形態に係る天板構造、端部ガード部材の変更例を示す断面図である。
【図６】本発明の第１実施形態に係る天板構造、端部ガード部材の変更例を示す断面図である。
【図７】本発明の第１実施形態に係る天板構造、端部ガード部材の変更例を示す断面図である。
【図８】本発明の第１実施形態に係る天板構造、端部ガード部材の変更例を示す断面図である。
【図９】本発明の第１実施形態に係る天板構造、端部ガード部材の変更例を示す断面図である。
【図１０】本発明の第１実施形態に係る天板構造、端部ガード部材を示す断面図である。
【発明を実施するための形態】
【００２０】
以下、図１から図９を参照し、本発明の一実施形態に係る天板構造について説明する。ここで、本実施形態では、本発明に係る天板構造がシステムキッチンなどの流し台の天板部の構造であるものとして説明を行う。なお、本発明に係る天板構造は、洗面化粧台、作業台、机など、流し台以外のあらゆる台の天板部の構造に適用可能である。
【００２１】
本実施形態のシステムキッチンなどの流し台は、図１に示すように、台面を形成する天板部１と、天板部１の下方に設けられる引出しや食器洗浄機などの収納部２とを備えて構成されている。
【００２２】
また、本実施形態の天板構造（天板部の構造）Ａは、平板状の天板３と、天板３の前端部側の裏面に上端部を当接させて上下方向Ｔ１に配設されるとともに天板３の前端部に沿って横方向の幅方向Ｔ２に延設される平板状で帯状の前框（框材）４と、天板３の裏面（下面）に一体に取り付けられる平板状の天板側裏面補強材５と、天板側裏面補強材５の前端部側の裏面及び前框４の裏面（背面）に一体に取り付けられる方形棒状の框側裏面補強材６とを備えて構成されている。
【００２３】
本実施形態では、天板３がセラミック、石材などの脆性破壊部材を用いて形成され、天板側裏面補強材５、框側裏面補強材６が木材などで形成されている。
【００２４】
一方、本実施形態の天板構造Ａは、天板３の後端部に一体に取り付けて端部カバー部材７が設けられている。なお、本発明に係る天板構造においては、端部カバー部材７を天板３の後端部でなく、または天板３の後端部だけでなく、側端部や前端部などの他の端部に取り付けて構成しても構わない。
【００２５】
本実施形態の端部カバー部材７は、例えば、アルミニウムなどの金属製、及び／又は樹脂製などの部材であり、図２に示すように、断面視で、天板３の端面を被覆するように上下方向Ｔ１に配設される平板状の壁部７ａと、壁部７ａの上端から壁部７ａの一面が向く横方向（奥行方向）Ｔ３の一方向に突設された水返し部（上側突部）７ｂと、壁部７ａの上端から所定の寸法で離間した下端側から前記一方向に突設され、水返し部７ｂとの間に嵌合溝部７ｃを形成する固定部（下側突部）７ｄとを備えて形成されている。
【００２６】
この端部カバー部材７は、固定部７ｄが断面略方形状の中空構造として形成されるとともに、その上下方向Ｔ１の厚さ寸法（高さ寸法）を天板側裏面補強材５の厚さと略同等にして形成されている。
水返し部７ｂは、壁部７ａの上端から前記一方向に突出するとともに、突出方向先端側が先端に向かうに従い漸次下方に傾斜して形成されている。水返し部７ｂの先端と固定部７ｄの上端との上下方向Ｔ１の間隔、すなわち嵌合溝部７ｃの高さ寸法が天板３の厚さ寸法よりわずかに大きな寸法／同等の寸法となるように形成されている。
【００２７】
また、本実施形態の天板構造Ａでは、天板側裏面補強材５の後端部が天板３の後端部よりも所定の寸法、前端部側に配されるようにして天板３の裏面に天板側裏面補強材５が一体に取り付けられている。
【００２８】
そして、端部カバー部材７は、固定部７ｄと水返し部７ｂの間の嵌合溝部７ｃに天板３の後端部を挿入するように嵌合させ、天板３の後端部に一体に取り付けられている。このとき、固定部７ｄの上面を両面テープや接着剤などによって天板３の後端部側の裏面に固着させてもよい。
【００２９】
また、本実施形態では、壁部７ａの内面に天板３の後端部側が当接あるいは近接するように嵌合溝部７ｃを壁部７ａの後端部に嵌合させると、固定部７ｄの前面が天板側裏面補強材５の後端面に当接する。そして、壁部７ａに貫通形成された挿通孔（不図示）を通じて固定部７ｄ（前面を形成する部分）をビス留めするなどし、天板側裏面補強材５に端部カバー部材７の固定部７ｄを固着させる。なお、嵌合溝部７ｃに天板３の端部側を嵌合させるだけであったり、両面テープや接着剤などで天板３や天板側裏面補強材５に固着するだけで、端部カバー部材７を取り付けるようにしても構わない。
【００３０】
これにより、端部カバー部材７が天板３の後端部に一体に固着して取り付けられる。また、端部カバー部材７を取り付けると、水返し部７ｂの先端と固定部７ｄが天板３の後端部を挟持するように配設され、例えば水返し部７ｂの先端が天板３の上面に当接される。
【００３１】
このように嵌合溝部７ｃに嵌合させて端部カバー部材７を天板３の後端部に取り付けた状態で、水返し部７ｂの先端が天板３の上面に押圧した状態で配されることにより、また、水返し部７ｂの先端側が傾斜して形成されていることにより、天板３の上面で水作業を行った際に端部カバー部材７の水返し部７ｂで天板３上の水が天板３外に流れ落ちることを防止できる。
【００３２】
さらに、本実施形態では、壁部７ａの前面と水返し部７ｂの下面で形成される空間内に樹脂材などのシール材／パッキン材（止水材）８を充填するように配設することにより、水返し部７ｂと天板３の間の止水性をより好適に確保することができる。
【００３３】
したがって、本実施形態の天板構造Ａにおいては、天板３の端部に端部ガード部材７を容易に取り付けることができ、この端部ガード部材７によって天板端部の水返し性（止水性）を確保することができる。
【００３４】
また、端部ガード部材７を天板端部に取り付けるだけで水返し性を確保することができるため、天板３と異なる材質の端部ガード部材７を用いることができ、端部ガード部材７の造形、意匠性によって天板端部側の見栄えを決めることができる。すなわち、従来と比較し、設計自由度の高い端部ガード部材７を用いて天板端部側の意匠性を決めることができ、大幅に天板端部側の意匠性の自由度を高めることが可能になる。
【００３５】
よって、本実施形態の天板構造Ａによれば、部材点数を少なくしつつ、流し台などの天板端部側の水返し性（止水性）を容易に確保でき、さらに天板端部側の意匠性を大きな制限なく容易に向上させることが可能になる。
【００３６】
以上、本発明に係る天板構造の第１実施形態について説明したが、本発明は上記の第１実施形態に限定されるものではなく、その趣旨を逸脱しない範囲で適宜変更可能である。
【００３７】
例えば、本実施形態では、天板側裏面補強材５の後端部が天板３の後端部よりも所定の寸法、前端部側に配されるようにし、嵌合溝部７ｃに天板３の後端部側を嵌合させて端部カバー部材７を取り付けた状態で、固定部７ｄが天板側裏面補強材５の後端面に前面を当接させて配設されるものとした。
【００３８】
これに対し、例えば図３、図４に示すように、壁部７ａの上端から一方向Ｔ３に突設される水返し部７ｂと、壁部７ａの下端から一方向Ｔ３に突設される固定部７ｄとを備えて端部カバー部材７を断面略コ字状に形成し、水返し部７ｂと固定部７ｄの間の嵌合溝部７ｃに天板３と天板側裏面補強材５の後端部を嵌合させ、固定部７ｄをビス留めするなどして天板側裏面補強材５に固着して端部カバー部材７を取り付けるようにしてもよい。
【００３９】
また、このとき、水返し部７ｂと天板３の間にくさび状などのシール材８を嵌め込み、この部分の止水性をより好適に確保するように構成してもよい。
【００４０】
さらに、図５に示すように、固定部７ｄ及び／又は水返し部７ｂを弾性変形可能に形成し、嵌合溝部７ｃに天板３、又は天板３と天板側裏面補強材５の後端部を嵌合させるとともに、水返し部７ｂ及び固定部７ｄが天板３の上面側や天板側裏面補強材５の裏面側を上下方向Ｔ１に押圧／挟持するように端部カバー部材７を構成してもよい。
【００４１】
さらに、図６に示すように、固定部７ｄを下方から上方に貫通する調整ビスなどの位置調整手段７ｅを設け、位置調整手段７ｅを操作することによって固定部７ｄの位置を上下方向Ｔ１に自在に調整できるように構成してもよい。この場合には、水返し部７ｂが天板３の上面側を押圧する押圧力を自在に調節することができる。
【００４２】
また、図７、図８、図９に示すように、水返し部７ｂや壁部７ａの内面側にパッキンなどの止水材８を一体に設け、端部カバー部材７を取り付けるとともに止水材８が天板３の上面に当接してこの部分の止水性を確保するように構成してもよい。なお、止水材８は弾性変形可能に形成されていることが好ましい。
【００４３】
さらに、端部カバー部材７の水返し部７ｂや壁部７ａへの取付け側を硬質材（硬質部）、天板３への当接側を軟質材（軟質部）として止水材８を形成するようにしてもよい。このようにすると、硬質部によって端部カバー部材７に強固に止水材８を取り付けることができ、軟性部によって位置ずれなどが生じても止水材８を天板３に好適に当接させることができ、この部分の止水性を好適に保持することが可能になる。
【００４４】
なお、上記のように構成した場合であっても、勿論、本実施形態と同様の作用効果を得ることが可能である。
【００４５】
次に、図１０を参照し、本発明の第２実施形態に係る天板構造について説明する。ここで、本実施形態では、第１実施形態と同様、システムキッチンなどの流し台の天板構造に関するものである。よって、本実施形態では、第１実施形態と同様の構成に対し同一符号を付して、その詳細な説明を省略する。
【００４６】
本実施形態の天板構造の端部カバー部材７は、図１０に示すように、個別に形成された止水部材（止水材）９とカバー部材１０とを備えて構成されている。
【００４７】
止水部材９は、樹脂（ゴムなど）等の弾性材を用いて形成されており、天板３の後端部に沿って上下方向Ｔ１に配設される壁部９ａと、壁部９ａの上端から横方向Ｔ３の一方向に延設され、天板３の上面に密着して配設される上側突部９ｂと、壁部９ａの下端から横方向Ｔ３の一方向に延設され、天板３の下面に密着して配設される下側突部９ｃとを備えて断面略コ字状に形成されている。この止水部材９は、上側突部９ｂと下側突部９ｃの間の空間が嵌合溝部９ｄとされている。
【００４８】
また、止水部材９の上側突部９ｂの上面と下側突部９ｃの下面には、凹凸部９ｅが形成されている。凹凸部９ｅは、凹部と凸部がそれぞれ、天板３の後端部に沿う幅方向Ｔ２に延設され、これら凹部と凸部が後端から先端に向かう横方向の奥行方向Ｔ３に交互に配設されている。また、上側突部９ｂと下側突部９ｃの凹凸部９ｅは、互いの凹部同士、凸部同士が上下方向に重なるようにして形成されている。
【００４９】
さらに、上側突部９ｂは、その先端に、上方に突出するとともに後端側から先端に向かうに従い漸次下方に傾斜する水切り面を備えた先端突部９ｆを備えて形成されている。また、この上側突部９ｂの先端突部９ｆの後端側には、カバー部材１０の先端が当接して位置決め保持するためのカバー部材当接面が形成されている。
【００５０】
本実施形態では、下側突部９ｃも、その先端に、下方に突出するとともに後端側から先端に向かうに従い漸次上方に傾斜する傾斜面を備えた先端突部９ｆを備えて形成されている。この下側突部９ｃの先端突部９ｆの後端側にも、カバー部材１０の先端が当接して位置決め保持するためのカバー部材当接面が形成されている。
【００５１】
一方、カバー部材１０は、例えば、アルミニウムなどの金属製、樹脂製などの部材であり、断面視で、上下方向Ｔ１に配設され、天板３の端面を被覆するように配設される板状の壁部１０ａと、壁部１０ａの上端から横方向Ｔ３の一方向に突設された水返し部（上側固定部）１０ｂと、壁部１０ａの下端から横方向Ｔ３の一方向に突設され、水返し部１０ｂとの間に嵌合溝部１０ｄを形成する下側固定部１０ｃとを備えて構成されている。
【００５２】
また、水返し部１０ｂは、後端から先端側に一方向Ｔ３に突出するとともに、その先端側に後端側から先端に向かうに従い下方に傾斜する上側係合部１０ｅを備えて形成されている。下側固定部１０ｃは、後端から先端側に一方向Ｔ３に突出するとともに、その先端側に後端側から先端に向かうに従い下方に傾斜する下側係合部１０ｆを備えて形成されている。
【００５３】
カバー部材１０は、壁部１０ａの上端から下端の略中央に、壁部１０ａの内面から一方向Ｔ３に突出し、幅方向Ｔ２に延びるリブ１０ｇが設けられている。
【００５４】
上記のように構成した本実施形態の天板構造Ａ、端部カバー部材７においては、天板３の後端部（または天板３と天板側裏面補強材５の端部）を挿入するように嵌合溝部９ｄを嵌合させて止水部材９を天板３の後端部に一体に取り付ける。
【００５５】
そして、天板３の後端部に取り付けた止水部材９を嵌合溝部１０ｄに挿入して嵌合させるようにカバー部材１０を取り付ける。このとき、先行して取り付けた止水部材９の凹凸部９ｅにカバー部材１０の上側係合部１０ｅと下側係合部１０ｆが係合し、さらに、止水部材９の先端突部９ｆのカバー部材当接面にカバー部材１０の上側係合部１０ｅと下側係合部１０ｆが当接することにより、カバー部材１０が着脱可能に位置決め固定され、一体に取り付けられる。
【００５６】
このように端部カバー部材７の止水部材９、カバー部材１０を天板３の後端部に取り付けることにより、第１実施形態と同様、天板３の上面で水作業を行った際に端部カバー部材７で天板３上の水が天板３外に流れ落ちることを防止できる。
【００５７】
さらに、本実施形態では、止水部材９の上側突部９ｂが天板３の上面に密着し、且つ、カバー部材１０を取り付けるとともにカバー部材１０の水返し部（上側突部）１０ｂで天板３に押圧されて密着するため、この部分の止水性を好適に確保することができる。
【００５８】
したがって、本実施形態の天板構造Ａにおいても、第１実施形態と同様、天板３の端部に端部ガード部材７を容易に取り付けることができ、この端部ガード部材７によって天板端部の水返し性（止水性）を確保することができる。
【００５９】
また、端部ガード部材７を天板端部に取り付けるだけで水返し性を確保することができるため、天板３と異なる材質の端部ガード部材７を用いることができ、端部ガード部材７の造形、意匠性によって天板端部側の見栄えを決めることができる。すなわち、従来と比較し、設計自由度の高い端部ガード部材７を用いて天板端部側の意匠性を決めることができ、大幅に天板端部側の意匠性の自由度を高めることが可能になる。
【００６０】
よって、本実施形態の天板構造Ａによれば、部材点数を少なくしつつ、流し台などの天板端部側の水返し性（止水性）を容易に確保でき、さらに天板端部側の意匠性を大きな制限なく容易に向上させることが可能になる。
【００６１】
以上、本発明に係る天板構造の第２実施形態について説明したが、本発明は上記の第２実施形態に限定されるものではなく、第１実施形態の変更例を含め、その趣旨を逸脱しない範囲で適宜変更可能である。
【符号の説明】
【００６２】
１      天板部
２      収納部
３      天板
４      前框（框材）
５      天板側裏面補強材
６      框側裏面補強材
７      端部カバー部材
７ａ    壁部
７ｂ    水返し部（上側突部）
７ｃ    嵌合溝部
７ｄ    固定部（下側突部）
７ｅ    位置調整手段
８      シール材／止水材
９      止水部材
９ａ    壁部
９ｂ    上側突部
９ｃ    下側突部
９ｄ    嵌合溝部
９ｅ    凹凸部
９ｆ    先端突部
１０    カバー部材
１０ａ  壁部
１０ｂ  水返し部（上側固定部）
１０ｃ  下側固定部
１０ｄ  嵌合溝部
１０ｅ  上側係合部
１０ｆ  下側係合部
１０ｇ  リブ
Ａ      天板構造
Ｔ１    上下方向
Ｔ２    幅方向
Ｔ３    奥行方向（横方向、一方向）
【図１】
2018042808.tif 000003
【図２】
2018042808.tif 000004
【図３】
2018042808.tif 000005
【図４】
2018042808.tif 000006
【図５】
2018042808.tif 000007
【図６】
2018042808.tif 000008
【図７】
2018042808.tif 000009
【図８】
2018042808.tif 000010
【図９】
2018042808.tif 000011
【図１０】
2018042808.tif 000012